(57)【要約】【課題】ノズルヘッドを回動操作する操作レバーによって物理的にトリガーレバーの操作を防止する液体噴射ノズルであっても、ノズルヘッドから垂れた液体が操作レバーを伝ってトリガーレバーに付着することがないようにした液体噴射ノズルを提供すること。【解決手段】操作レバー１３が流路を閉鎖する位置にあるときに、操作レバー１３及びトリガーレバー１２の当接面に、嵌合孔３Ｂ及び嵌合突起３Ａからなる嵌合手段３を設けるようにする。【選択図】図１
2013099704.tif 000002
【特許請求の範囲】
【請求項１】
ノズル本体と、ノズル本体の先端に配設したノズルヘッドと、ノズル本体に配設したポンプを作動させてノズルヘッドに対して液体を供給するトリガーレバーと、ノズルヘッドを回動操作することによりノズルヘッドに対して液体を供給する流路を開閉する操作レバーとを備え、容器の口部に装着するようにした液体噴射ノズルにおいて、前記操作レバーが流路を閉鎖する位置にあるときに、操作レバー及びトリガーレバーの当接面に、嵌合孔及び嵌合突起からなる嵌合手段を設けてなることを特徴とする液体噴射ノズル。
【請求項２】
前記嵌合突起を操作レバーの先端に、嵌合孔をトリガーレバーの側面に、それぞれ形成してなることを特徴とする請求項１記載の液体噴射ノズル。
【発明の詳細な説明】
【技術分野】
【０００１】
本発明は、液体噴射ノズルに関し、特に、内部に液体を収容した容器の口部に装着して使用するトリガー式の液体噴射ノズルに関するものである。
【背景技術】
【０００２】
従来、液体を収容した容器の口部に装着する液体噴射ノズルとしては、ノズル本体と、ノズル本体の先端に配設したノズルヘッドと、ノズル本体に配設したポンプを作動させてノズルヘッドに対して液体を供給するトリガーレバーとからなり、トリガーレバーを操作して、液体を噴射するように構成されたものが汎用されている。
【０００３】
ところで、この種の液体噴射ノズルは、トリガーレバーの不用意な操作によって、液体が漏出することを防止するために、不使用時には、ノズルヘッドを回動操作することによりノズルヘッドに対して液体を供給する流路を開閉するように構成し、不使用時にはノズルヘッドを回動させて、ノズルヘッドの位置が液体の流路を閉鎖する位置となるようにしている。
しかし、ノズルヘッドを回動して液体を供給する流路を開閉する機能を設けていても、トリガーレバーはポンプのプランジャを介して液圧によって押し込み不能状態に係止されているだけであるため、液体の流路が閉鎖状態であっても、トリガーを操作するとプランジャが若干押し込まれ、ポンプのシリンダ内が高圧となり、ノズルヘッドを回動操作し、ノズルヘッドの位置が液体の流路を開放する位置となるようにしたとき、トリガーレバーを操作しなくても、ポンプのシリンダ内に溜まった高圧の液体がノズルヘッドから噴出するという問題があった。
【０００４】
このため、ノズルヘッドの回動を操作レバーによって行うように構成し、この操作レバーが、液体の流路を閉鎖する位置にあるときに、操作レバーがトリガーレバーの前面に沿って垂下するようにして、物理的に操作レバーの操作を行うことができないようにした液体噴射ノズルが提案されている（例えば特許文献１〜２参照）。
【０００５】
ところで、この液体噴射ノズルの操作レバーは、ノズルヘッドと一体に又はノズルヘッドを覆うように配設され、トリガーレバーの前面に沿って垂下する位置では、液体の流路を閉鎖するとともに、物理的にトリガーレバーの操作を防止することができるが、使用直後のノズルヘッドの噴射口から垂れた液体が、この操作レバーを伝ってトリガーレバーに達し、次回の使用時にトリガーレバーを操作する使用者の指に液体が付着するという問題があった。
【先行技術文献】
【特許文献】
【０００６】
【特許文献１】特開２００１−１０６５３号公報
【特許文献２】特開２００４−８９８０６号公報
【発明の概要】
【発明が解決しようとする課題】
【０００７】
本発明は、上記従来の液体噴射ノズルの有する問題点に鑑み、ノズルヘッドを回動操作する操作レバーによって物理的にトリガーレバーの操作を防止する液体噴射ノズルであっても、ノズルヘッドから垂れた液体が操作レバーを伝ってトリガーレバーに付着することがないようにした液体噴射ノズルを提供することを目的とする。
【課題を解決するための手段】
【０００８】
上記目的を達成するため、本発明の液体噴射ノズルは、ノズル本体と、ノズル本体の先端に配設したノズルヘッドと、ノズル本体に配設したポンプを作動させてノズルヘッドに対して液体を供給するトリガーレバーと、ノズルヘッドを回動操作することによりノズルヘッドに対して液体を供給する流路を開閉する操作レバーとを備え、容器の口部に装着するようにした液体噴射ノズルにおいて、前記操作レバーが流路を閉鎖する位置にあるときに、操作レバー及びトリガーレバーの当接面に、嵌合孔及び嵌合突起からなる嵌合手段を設けてなることを特徴とする。
【０００９】
この場合において、前記嵌合突起を操作レバーの先端に、嵌合孔をトリガーレバーの側面に、それぞれ形成することができる。
【発明の効果】
【００１０】
本発明の液体噴射ノズルによれば、操作レバーが流路を閉鎖する位置にあるときに、操作レバー及びトリガーレバーの当接面に、嵌合孔及び嵌合突起からなる嵌合手段を設けるようにしたから、ノズルヘッドを回動操作する操作レバーは、トリガーレバーの側面と当接して、トリガーレバーを嵌合手段で固定することができ、ノズルヘッドの噴射口から垂れた液体が操作レバーを介してトリガーレバーに付着することがないため、使用者の指に液体が付着する問題を解消することができる。
【００１１】
また、前記嵌合突起を操作レバーの先端に、嵌合孔をトリガーレバーの側面に、それぞれ形成することにより、対称形状のトリガーレバーではなく、板状の操作レバーに突起状の嵌合突起を形成することができ、成形を容易に行うことができる。
【図面の簡単な説明】
【００１２】
【図１】本発明の液体噴射ノズルの一実施例を示す正面図で、（ａ）は使用時の状態、（ｂ）は不使用時の状態である。
【図２】同平面図で、（ａ）は使用時の状態、（ｂ）は不使用時の状態である。
【発明を実施するための形態】
【００１３】
以下、本発明の液体噴射ノズルの実施の形態を、図面に基づいて説明する。
【実施例１】
【００１４】
図１〜図２に、本発明の液体噴射ノズルの一実施例を示す。
この液体噴射ノズル１は、ノズル本体１０と、ノズル本体１０の先端に配設したノズルヘッド１１と、ノズル本体１０に配設したポンプ１０ａを作動させてノズルヘッド１１に対して液体を供給するトリガーレバー１２と、ノズルヘッド１１を回動操作することによりノズルヘッド１１に対して液体を供給する流路を開閉する操作レバー１３とを備え、容器２の口部に装着するようにした液体噴射ノズル１であって、トリガーレバー１２を操作することで、トリガーレバー１２と連係されているポンプ１０ａのシリンダ内に押し込み可能に嵌合されたプランジャがポンプ１０ａ側に押し込まれ、ポンプ１０ａの吸入部と接続され、容器２内の液体を吸い上げる吸引パイプ１０ｂから液体を吸い上げ、ポンプ１０ａの吐出部と接続され、途中ノズルヘッド１１の回動によって開閉される液体流路を介し、ノズルヘッド１１の噴射口１１ａから液体が噴射されるように構成されている。
【００１５】
そして、この液体噴射ノズル１は、操作レバー１３が流路を閉鎖する位置にあるときに、操作レバー１３及びトリガーレバー１２の当接面に、嵌合孔３Ｂ及び嵌合突起３Ａからなる嵌合手段３を設けるようにしている。
【００１６】
嵌合孔３Ｂ及び嵌合突起３Ａは、本実施例においては、嵌合突起３Ａを操作レバー１３の先端に、嵌合孔３Ｂをトリガーレバー１２の側面に、それぞれ形成するようにしている。これは断面コ字状で対称形状であるトリガーレバー１２に突起状の嵌合突起３Ａを形成するよりも、板状の操作レバー１３側に突起状の嵌合突起３Ａを形成するようにした方が、成形を容易に行うことができるからである。
なお、必要に応じて、操作レバー１３の強度及び剛性を高めるために、操作レバー１３の表面にリブ１３ｃを立設することができる。
【００１７】
嵌合孔３Ｂは、嵌合突起３Ａが確実に嵌合されるように、図１（ａ）に示すように、長孔に形成するようにしている。
また、嵌合突起３Ａは、本実施例においては、先端を半球状とした筒状としたが、弾性変形可能な段差を有する尖頭状とすることで、嵌合後は、所定以上の力を加えないと操作レバー１３を回動することができないように構成することもでき、トリガーレバー１２の物理的な固定を強固なものとすることができる。
【００１８】
ノズルヘッド１１は、ノズル本体１０に対して回動可能となって、流路を開閉することができるように、端部に円筒状の凹部又は凸部を形成し、ノズル本体１０の端部に形成される円筒状の凸部又は凹部に嵌合するようにしている。
そして、ノズルヘッド１１の回動によって開閉される液体流路を介して噴射口１１ａとポンプ１０ａとが連結されている。
また、ノズルヘッド１１の外周面は、後述する操作レバー１３の回動操作に伴って、ノズルヘッド１１が回動するように、正面視方形形状となるようにしている。
【００１９】
操作レバー１３は、ノズルヘッド１１を使用者が簡単に回動操作できるようにするための部材で、本実施例においては、ノズルヘッド１１の方形形状の外周面に嵌合可能な方形形状の嵌合筒状部１３ｂと、嵌合筒状部１３ｂの一面に取り付けられた板状の操作部１３ａとからなり、嵌合突起３Ａは、この操作部１３ａの先端に形成され、操作部１３ａは回動操作によって、トリガーレバー１２の側面と当接する。
なお、操作レバー１３は、ノズルヘッド１１と一体成形するようにしてもよく、この場合、ノズルヘッド１１は、正面視円形形状とすることもできる。
【００２０】
そして、この操作レバー１３は、回動操作時に、トリガーレバー１２の側面と当接するようにするために、ノズルヘッド１１に嵌合される嵌合筒状部１３ｂに取り付けられる操作部１３ａを、ノズルヘッド１１側からポンプ１０ａ側に後退した位置から延設し、操作レバー１３が流路を閉鎖する位置にきたときに、ノズルヘッド１１の噴射口１１ａから垂れた液体が伝ってくることがないように構成されている。
【００２１】
また、本実施例においては、ノズルヘッド１１を９０度回動することで開放状態（使用時）と閉鎖状態（不使用時）を切り替えることができるように構成（水平状態のときに流路が開放状態となり、水平状態から図例時計回りに９０度回動した位置で閉鎖状態となる。）しており、図２（ａ）、（ｂ）に示すように、トリガーレバー１２の幅が方形形状の嵌合筒状部１３ｂよりも狭い場合には、嵌合筒状部１３ｂから延設される操作部１３ａは、トリガーレバー１２の幅に合わせてＬ字状に屈曲させ、回動時にトリガーレバー１２の側面と確実に当接するように構成されている。
【００２２】
次に、液体を収容した容器２の口部に装着した液体噴射ノズル１の使用方法について説明する。
【００２３】
まず、容器２内の液体を噴射するときは、図１（ａ）、図２（ａ）に示すように、操作レバー１３が水平状態となるように操作し、トリガーレバー１２を握る（後方へ引く）ことでポンプ１０ａを操作し、ノズルヘッド１１の噴射口１１ａから液体を噴射する。
【００２４】
そして、不使用時には、操作レバー１３を水平状態から、図１（ｂ）、図２（ｂ）に示すように、時計回りに９０度回動した位置に移動させる。
このとき、操作レバー１３の操作部１３ａの先端に形成した嵌合突起３Ａが、トリガーレバー１２の側面に形成した嵌合孔３Ｂに嵌合し、トリガーレバー１２の後方への移動を物理的に規制することができるとともに、操作レバー１３は、ノズルヘッドから離れた位置で、かつ、トリガーレバー１２の前面に当接することがないから、ノズルヘッドから垂れた液体が操作レバー１３を介して、トリガーレバー１２に付着することがない。
【００２５】
以上、本発明の液体噴射ノズルについて、実施例に基づいて説明したが、本発明は上記実施例に記載した構成に限定されるものではなく、その趣旨を逸脱しない範囲において適宜その構成を変更することができるものである。
【産業上の利用可能性】
【００２６】
本発明の液体噴射ノズルは、ノズルヘッドから垂れた液体が操作レバーを伝ってトリガーレバーに付着することがないという特性を有していることから、不使用時に操作レバーによって、ノズルヘッドの回動操作とトリガーレバーの物理的な固定を行うようにする液体噴射ノズルの用途に好適に用いることができる。
【符号の説明】
【００２７】
１    液体噴射ノズル
２    容器
３    嵌合手段
３Ａ  嵌合突起
３Ｂ  嵌合孔
１０  ノズル本体
１０ａ  ポンプ
１１  ノズルヘッド
１２  トリガーレバー
１３  操作レバー
１３ａ  操作部
１３ｂ  嵌合筒状部
１３ｃ  リブ
【図１】
2013099704.tif 000003
【図２】
2013099704.tif 000004